(57)【特許請求の範囲】
【請求項１】
携帯用端末機の情報表示装置において、
前記携帯用端末機に搭載され、画面に移動可能な情報を表示する長方形状の表示部と、
前記携帯用端末機の一端と他端とが締結される場合、制御部に締結信号を提供する締結部と、
前記締結部から前記締結信号が提供された場合、前記携帯用端末機が曲げられたことを認識する制御部と、
前記携帯用端末機が曲げられた場合、前記携帯用端末機が第１軸に対して回転された第１回転角度及び前記携帯用端末機が第１軸に直交する第２軸に対して回転された第２回転角度を測定するセンサー部と、を有し、
ここで、前記第１軸及び前記第２軸は重力方向に直交し、前記長方形状の表示部の長・短辺に沿って設定され、各々、ｘ座標軸及びｙ座標軸をなし、
前記制御部は、前記センサー部により測定された前記第１回転角度及び前記第２回転角度に各々比例して増減する前記画面上のｘ座標値及びｙ座標値を予め貯蔵されたデータベースを参照して確認し、前記確認したｘ座標値及びｙ座標値に前記情報を表示させる、ことを特徴とする携帯用端末機の情報表示装置。
【請求項２】
前記移動可能な情報は、ＳＭＳ、ＭＭＳ、電子メール、アプリケーション・ショートカット、ＳＮＳ、アラーム、ソフトウェア・アップデートの内の少なくとも一つ以上を含むことを特徴とする請求項１に記載の携帯用端末機の情報表示装置。
【請求項３】
前記表示部は、フレキシブル・ディスプレイで構成されることを特徴とする請求項１に記載の携帯用端末機の情報表示装置。
【請求項４】
携帯用端末機の情報表示装置において、
前記携帯用端末機に搭載され、画面に移動可能な情報を表示する長方形状の表示部と、
前記携帯用端末機の曲がりを通知する信号を提供する第１センサー部と、
前記第１センサー部から前記携帯用端末機の曲がりを通知する信号が提供された場合、前記携帯用端末機が第１軸に対して回転された第１回転角度及び前記携帯用端末機が第１軸に直交する第２軸に対して回転された第２回転角度を測定する第２センサー部と、
ここで、前記第１軸及び前記第２軸は重力方向に直交し、前記長方形状の表示部の長・短辺に沿って設定され、各々、ｘ座標軸及びｙ座標軸をなし、
前記第２センサー部により測定された前記第１回転角度及び前記第２回転角度に各々比例して増減する前記画面上のｘ座標値及びｙ座標値を予め貯蔵されたデータベースを参照して確認し、前記確認したｘ座標値及びｙ座標値に前記情報を表示させる制御部と、を有し、
前記第１センサー部は、前記携帯用端末機の一端と他端とが締結された場合、前記携帯用端末機の曲がりを通知する信号を提供する、ことを特徴とする携帯用端末機の情報表示装置。
【請求項５】
前記第１センサー部は、前記携帯用端末機の一端に形成される雄コネクタと前記携帯用端末機の他端に形成される雌コネクタとを含んで構成され、前記雄コネクタと雌コネクタとが電気的に接続された場合、前記携帯用端末機の曲がりを通知する信号を提供するか、あるいは、
前記第１センサー部は、前記携帯用端末機の一端に形成されるスイッチと前記携帯用端末機の他端に形成される前記スイッチを開閉する部材とを含んで構成され、前記スイッチと前記スイッチを開閉する部材とが結束された場合、前記携帯用端末機の曲がりを通知する信号を提供するか、あるいは、
前記第１センサー部は、前記携帯用端末機の一端に形成されるセンサーと前記携帯用端末機の他端に形成されるセンサー用部材とを含んで構成され、前記センサーが前記センサー用部材に反応した場合、前記携帯用端末機の曲がりを通知する信号を提供することを特徴とする請求項４に記載の携帯用端末機の情報表示装置。
【請求項６】
前記移動可能な情報は、ＳＭＳ、ＭＭＳ、電子メール、アプリケーション・ショートカット、ＳＮＳ、アラーム、ソフトウェア・アップデートの内の少なくとも一つ以上を含むことを特徴とする請求項４に記載の携帯用端末機の情報表示装置。
【請求項７】
前記表示部は、フレキシブル・ディスプレイで構成されることを特徴とする請求項４に記載の携帯用端末機の情報表示装置。
【請求項８】
携帯用端末機の情報表示方法において、
前記携帯用端末機に搭載された長方形状の表示部の画面に移動可能な情報を表示するステップと、
前記携帯用端末機の一端と他端とが締結された場合、締結信号を提供するステップと、
前記締結信号が提供された場合、前記携帯用端末機が曲げられたことを認識するステップと、
前記携帯用端末機の曲がりが認識された場合、前記携帯用端末機が第１軸に対して回転された第１回転角度及び前記携帯用端末機が第１軸に直交する第２軸に対して回転された第２回転角度を測定するステップと、
ここで、前記第１軸及び前記第２軸は重力方向に直交し、前記長方形状の表示部の長・短辺に沿って設定され、各々、ｘ座標軸及びｙ座標軸をなし、
前記第１回転角度及び前記第２回転角度に各々比例して増減する前記画面上のｘ座標値及びｙ座標値を予め貯蔵されたデータベースを参照して確認し、前記確認したｘ座標値及びｙ座標値に前記情報を表示するステップと、を有することを特徴とする携帯用端末機の情報表示方法。
【請求項９】
前記移動可能な情報は、ＳＭＳ、ＭＭＳ、電子メール、アプリケーション・ショートカット、ＳＮＳ、アラーム、ソフトウェア・アップデートの内の少なくとも一つ以上を含むことを特徴とする請求項８に記載の携帯用端末機の情報表示方法。
【請求項１０】
前記携帯用端末機は、前記画面を提供するフレキシブル・ディスプレイを具備することを特徴とする請求項８に記載の携帯用端末機の情報表示方法。
【請求項１１】
携帯用端末機の情報表示方法において、
前記携帯用端末機に搭載された長方形状の表示部の画面に移動可能な情報を表示するステップと、
前記携帯用端末機の曲がりを通知する信号を提供するステップと、
前記携帯用端末機の曲がりを通知する信号が提供された場合、前記携帯用端末機が第１軸に対して回転された第１回転角度及び前記携帯用端末機が第１軸に直交する第２軸に対して回転された第２回転角度からなる動き情報を測定するステップと、
ここで、前記第１軸及び前記第２軸は重力方向に直交し、前記長方形状の表示部の長・短辺に沿って設定され、各々、ｘ座標軸及びｙ座標軸をなし、
前記動き情報の前記第１回転角度及び前記第２回転角度に各々比例して増減する前記画面上のｘ座標値及びｙ座標値に前記移動可能な情報を表示するステップと、を有し、
前記携帯用端末機の曲がりを通知する信号を提供するステップは、前記携帯用端末機の一端と他端とが締結された場合、前記携帯用端末機の曲がりを通知する信号を提供する、ことを特徴とする携帯用端末機の情報表示方法。
【請求項１２】
前記携帯用端末機の曲がりを通知する信号を提供するステップは、前記携帯用端末機の一端に形成される雄コネクタと前記携帯用端末機の他端に形成される雌コネクタとが電気的に接続された場合、前記携帯用端末機の曲がりを通知する信号を提供するか、あるいは、
前記携帯用端末機の一端に形成されるスイッチと前記携帯用端末機の他端に形成される前記スイッチを開閉する部材とが結束された場合、前記携帯用端末機の曲がりを通知する信号を提供するか、あるいは、
前記携帯用端末機の一端に形成されるセンサーが前記携帯用端末機の他端に形成されるセンサー用部材に反応した場合、前記携帯用端末機の曲がりを通知する信号を提供することを特徴とする請求項１１に記載の携帯用端末機の情報表示方法。
【請求項１３】
前記移動可能な情報は、ＳＭＳ、ＭＭＳ、電子メール、アプリケーション・ショートカット、ＳＮＳ、アラーム、ソフトウェア・アップデートの内の少なくとも一つ以上を含むことを特徴とする請求項１１に記載の携帯用端末機の情報表示方法。
【請求項１４】
前記携帯用端末機は、前記画面を提供するフレキシブル・ディスプレイを具備することを特徴とする請求項１１に記載の携帯用端末機の情報表示方法。
【発明の詳細な説明】
【技術分野】
【０００１】
本発明は、携帯用端末機の曲がりを感知する装置及び情報表示装置並びにそれらの方法に関し、特に、携帯用端末機が曲げることができる場合、画面上の情報を移動させ得る携帯用端末機の曲がりを感知する装置及び情報表示装置並びにそれらの方法に関する。
【背景技術】
【０００２】
電子通信産業の発達によって携帯用端末機は、現代社会の必需品になっていくことによって高速に変化する情報伝達の重要な手段になっている。
近年、携帯用端末機は、ＧＵＩシステムの発達及び大衆化に応じてタッチスクリーンを適用することに留まらず、フレキシブル・ディスプレイを適用することに至りつつある。
【０００３】
フレキシブル・ディスプレイは、曲げることができることから、従来のディスプレイでは制限的であった分野にも導入されることに役に立っている。
例えば、雑誌のような出版物を代替できる電子書籍分野においてディスプレイを折り畳むか、または巻いて携帯できる超小型ＰＣや、リアルタイム情報確認が可能なスマートカードなどの新しい携帯用ＩＴ製品群がフレキシブル・ディスプレイの活用分野として挙げられる。
【０００４】
フレキシブル・ディスプレイは曲げることができることから、この点においてユーザに引き付けるに十分である。
図１は、フレキシブル・ディスプレイが適用された携帯用端末機を手首に着用することを示す図である。
図１を参照すると、携帯用端末機１は曲げられてユーザの手首を覆う。一般的にユーザは腕時計を見るように、フレキシブル・ディスプレイ３を注視するとき、画面が曲げられているため視野に入らない部分の情報３１を見るためには、携帯用端末機１を着用した手首４０を回して視野に入れなければなければならないという不便を経験するという問題がある。
【先行技術文献】
【特許文献】
【０００５】
【特許文献１】韓国公開特許第１０−２０１０−００７９１００号公報
【発明の概要】
【発明が解決しようとする課題】
【０００６】
本発明は上記従来の携帯用端末機における問題点に鑑みてなされたものであって、本発明の目的は、携帯用端末機を曲げることができる場合、画面の内容を変更する携帯用端末機の曲がりを感知する装置及び情報表示装置並びにそれらの方法を提供することにある。
本発明の他の目的は、携帯用端末機を曲げることができる場合、ユーザの視野が確保された画面上の位置に情報を提供する携帯用端末機の曲がりを感知する装置及び情報表示装置並びにそれらの方法を提供することにある。
【課題を解決するための手段】
【０００８】
上記目的を達成するためになされた本発明による携帯用端末機の情報表示装置は、携帯用端末機の情報表示装置において、画面に移動可能な情報を表示する表示部と、前記携帯用端末機の一端と他端とが締結される場合、制御部に締結信号を提供する締結部と、前記締結部から前記締結信号が提供された場合、前記携帯用端末機が曲げられたことを認識する制御部と、前記携帯用端末機が曲げられた場合、前記携帯用端末機の動き情報を提供するセンサー部と、を有し、前記制御部は、前記センサー部から提供された前記動き情報に対応して前記移動可能な情報を前記画面に表示させることを特徴とする。
【０００９】
また、上記目的を達成するためになされた本発明による携帯用端末機の情報表示装置は、携帯用端末機の情報表示装置において、画面に移動可能な情報を表示する表示部と、前記携帯用端末機の曲がりを通知する信号を提供する第１センサー部と、前記第１センサー部から前記携帯用端末機の曲がりを通知する信号が提供された場合、前記携帯用端末機の動き情報を提供する第２センサー部と、前記第２センサー部から提供された前記動き情報に対応して前記移動可能な情報を前記画面に表示させる制御部と、を有し、前記第１センサー部は、前記携帯用端末機の一端と他端とが締結された場合、前記携帯用端末機の曲がりを通知する信号を提供する、ことを特徴とする。
【００１１】
上記目的を達成するためになされた本発明による携帯用端末機の情報表示方法は、携帯用端末機の情報表示方法において、
画面に移動可能な情報を表示するステップと、前記携帯用端末機の一端と他端とが締結された場合、締結信号を提供するステップと、前記締結信号が提供された場合、前記携帯用端末機が曲げられたことを認識するステップと、前記携帯用端末機の曲がりが認識された場合、前記携帯用端末機の動き情報を提供するステップと、前記動き情報に対応して前記移動可能な情報を前記画面に表示するステップと、を有することを特徴とする。
【００１２】
また、上記目的を達成するためになされた本発明による携帯用端末機の情報表示方法は、携帯用端末機の情報表示方法において、画面に移動可能な情報を表示するステップと、前記携帯用端末機の曲がりを通知する信号を提供するステップと、前記携帯用端末機の曲がりを通知する信号が提供された場合、前記携帯用端末機の動き情報を提供するステップと、前記動き情報に対応して前記移動可能な情報を前記画面に表示するステップと、を有し、前記携帯用端末機の曲がりを通知する信号を提供するステップは、前記携帯用端末機の一端と他端とが締結された場合、前記携帯用端末機の曲がりを通知する信号を提供する、ことを特徴とする。
【発明の効果】
【００１３】
本発明に係る携帯用端末機の曲がりを感知する装置及び情報表示装置並びにそれらの方法によれば、携帯用端末機を曲げることができる場合、画面上の情報を移動させてユーザが注視することに容易な画面上の位置で情報を表示するという効果がある。
【図面の簡単な説明】
【００１４】
【図１】フレキシブル・ディスプレイが適用された携帯用端末機を手首を着用することを示す図である。
【図２】本発明の一実施形態による携帯用端末機の斜視図である。
【図３】本発明の一実施形態による携帯用端末機を手首に着用するための手段を示す斜視図である。
【図４】本発明の一実施形態による携帯用端末機を手首に着用するための手段を示す斜視図である。
【図５】本発明の一実施形態による携帯用端末機の構成を示すブロック図である。
【図６】本発明の一実施形態による携帯用端末機の情報表示方法を説明するための図である。
【図７】本発明に一実施形態による携帯用端末機の情報表示手順を説明するためのフローチャートである。
【図８】本発明の一実施形態による携帯用端末機の情報表示手順を説明するためのフローチャートである。
【図９】本発明の一実施形態による携帯用端末機の情報表示方法を説明するための図である。
【図１０】本発明の一実施形態による携帯用端末機における情報の画面上の表示位置を決定する方法を説明するための図である。
【発明を実施するための形態】
【００１５】
次に、本発明に係る携帯用端末機の曲がりを感知する装置及び情報表示装置並びにそれらの方法を実施するための形態の具体例を図面を参照しながら説明する。
【００１６】
以下で、本発明を説明するに当たって、関連する公知機能或いは構成に対する具体的な説明が本発明の要旨を不明確にする恐れがあると判断される場合、その詳細な説明を略する。
そして、後述する用語は本発明における機能を考慮して定義されたものであり、これは使用者、運用者の意図又は慣例などによって異なり得る。従って、その定義は本明細書全般にかかる内容に基づいて定められるべきである。
【００１７】
本発明は、携帯用端末機が曲げられることができる場合、ユーザの視野が確保された画面上の位置に情報を提供する携帯用端末機の曲がりを感知する装置及び情報表示装置並びにそれらの方法を提供する。
本発明の一実施形態による携帯用端末機は、撓み、折れ畳み、ねじり、曲げなどの変形が可能であり、例えば、巻物のように巻き得るし（ｒｏｌｌａｂｌｅ）、紙のように曲げ得る（ｃｕｒｖｅｄ、ｂｅｎｄａｂｌｅ）携帯用端末機はフレキシブル（ｆｌｅｘｉｂｌｅ）・ディスプレイを有して構成され、フレキシブル・ディスプレイは変形されうる。さらに、本発明の一実施形態による携帯用端末機は、手首などのような人体部位に着用してもよく、下記に示すような構成をとる。
【００１８】
図２は、本発明の一実施形態による携帯用端末機の斜視図である。
図２を参照すると、携帯用端末機１００は、両端（１１９１、１１９２）を締結する場合に曲げられる。
携帯用端末機１００は、フレキシブル・ディスプレイ１０５を有して構成され、曲がった（湾曲した）画面を提供することができる。又、携帯用端末機１００は、両端（１１９１、１１９２）を締結する手段を有して構成され、これは図３及び図４を参照して説明する。
【００１９】
図３及び図４は、本発明の一実施形態による携帯用端末機を手首に着用するための手段を示す斜視図である。
携帯用端末機１００は、両端（１１９１、１１９２）を締結する締結部１１９を構成する際、締結部１１９は機械的で電気的な構成をとる。
特に、携帯用端末機１００は、締結部１１９を通じて両端（１１９１、１１９２）が締結されることがわかる。
【００２０】
図３を参照すると、一端１１９１には、第１回路１１９３に接続された雄コネクタ１１９４−１が形成され、他端１１９２には、第２回路１１９５に接続された雌コネクタ１１９４−２が形成される。
一端１１９１と他端１１９２とを締結した時、雄コネクタ１１９４−１と雌コネクタ１１９４−２は電気的に接続されて第１回路１１９３と第２回路１１９５とは接続され、携帯用端末機１００はこれを感知する。
【００２１】
図４を参照すると、一端１１９１には、スイッチ１１９６が形成され、他端１１９２には、スイッチを開閉する部材１１９８が形成される。一端１１９１と他端１１９２とを締結した時、スイッチ１１９６はオンになり、携帯用端末機１００はこれを感知する。
【００２２】
これのみならず、一端１１９１には、センサー、例えば、近接センサー、磁気力センサー、フォトセンサーなどを形成し、他端１１９２には、センサーが反応し得る部材を形成することもできる。一端１１９１と１１９２とが締結した時、センサーはセンサーが反応し得る部材に反応して携帯用端末機１００はこれを感知する。
【００２３】
一端１１９１と他端１１９２が締結されるとは、携帯用端末機が曲げられた（リング状になった）ことを示し、携帯用端末機１００は、曲げられた場合、携帯用端末機が湾曲方向に回転しても画面中の対象となる情報を移動させてユーザの視野に入れ得るよう制御する。
【００２４】
図５は、本発明の一実施形態による携帯用端末機の構成を示すブロック図である。
図５を参照すると、携帯用端末機１００は、通信部１０１、入力部１０３、表示部１０５、保存部１０７、カメラ部１０９、画像コーデック部１１１、音声コーデック部１１３、スピーカー１１５、マイクロフォン１１７、締結部１１９、センサー部１２３、アンテナ１２５、及び制御部１２７を含む。
【００２５】
携帯用端末機１００は、フレキシブルに変形させることができるが、例えば、巻物状に巻き得るし（ｒｏｌｌａｂｌｅ）、紙のように曲げ得る（ｃｕｒｖｅｄ、ｂｅｎｄａｂｌｅ）。
上記構成要素のうち少なくとも一つ以上は、変形されても機能を失わないよう構成され、特に、表示部１０５は、フレキシブル・ディスプレイで構成する。
【００２６】
以下の説明において携帯用端末機１００は、携帯電話（ｃｅｌｌｕｌａｒ  ｐｈｏｎｅ）、パーソナルコミュニケーションシステム（ＰＣＳ：Ｐｅｒｓｏｎａｌ  Ｃｏｍｍｕｎｉｃａｔｉｏｎ  Ｓｙｓｔｅｍ）、パーソナルデータアシスタント（ＰＤＡ：Ｐｅｒｓｏｎａｌ  Ｄａｔａ  Ａｓｓｉｓｔａｎｔ）、ＩＭＴ−２０００（ｉｎｔｅｒｎａｔｉｏｎａｌ  ｍｏｂｉｌｅ  ｃｏｍｍｕｎｉｃａｔｉｏｎ−２０００）端末、第４世代広帯域システム（Ｂｒｏａｄｂａｎｄ  ｓｙｓｔｅｍ）端末などを全部含む。
【００２７】
通信部１０１は、（動、静止）画像通信、音声通信、及びデータ通信を可能にするハードウェア及び／又はソフトウェアを有して構成される。
通信部１０１は、アンテナ１２５を通じて無線信号を送受信する。
入力部１０３は、ユーザからの入力を受信し、これに対応する入力信号を制御部１２７に提供する。
【００２８】
表示部１０５は、制御部１２３の制御下で（動、静止）画像を出力する。
表示部１０５は画像コーデック部１１１を通じて復調された画像データを出力する。
【００２９】
保存部１０７は、携帯用端末機１００の全般的な動作を制御するプログラムと携帯用端末機の制御動作が遂行されるとき、入出力される各種データを保存する。
カメラ部１０９は、被写体を撮像して画像データを生成してこれを画像コーデック部１１１に出力する。
【００３０】
画像コーデック部１１１は、カメラ部１０９から提供される画像データを変調して制御部１２７に提供する。
また、画像コーデック部１１１は、制御部１２７から提供される画像データを復調した後、表示部１０５に提供する。
【００３１】
音声コーデック部１１３は、マイクロフォン１１７から提供される音声データを変調して制御部１２７に提供する。
また、音声コーデック部１１３は、制御部１２７から提供される音声データを復調した後、スピーカー１１５に提供する。
【００３２】
締結部１１９は、携帯用端末機１００の両端を締結する機械的で電気的な構成をとり、特に、両端が締結された時、制御部１２７はこれを感知する。
【００３３】
センサー部１２３は、携帯用端末機１００が置かれた物理的状況を感知してこれを制御部１２７に通知する。
例えば、前記センサー部１２３は、重力センサー１２３−１、回転センサー１２３−２、加速度センサー、ＧＰＳセンサー、温度センサーなどで構成される。
【００３４】
制御部１２７は、画像通信、音声通信、及びデータ通信のための処理及び制御を行う。
制御部１２７は、携帯用端末機１００の実行環境を設定してその情報を維持して、携帯用端末機１００が安定的に駆動するよう制御し、携帯用端末機１００の全装置のデータ入出力交換を円滑にする。
【００３５】
特に、制御部１２７は、締結部１１９を通じて携帯用端末機１００が曲げられてリング状にされたことを感知し、又、センサー部１２３を通じて携帯用端末機１００の動きを感知して、表示部１０５を通じて表示される情報がユーザの視線から外れないように表示される情報の画面上の位置を制御する。
【００３６】
図６は、本発明の一実施形態による携帯用端末機の情報表示方法を説明するための図である。
図６を参照すると、本発明の一実施形態によれば、画面上の表示情報は、ユーザの視野が確保された初期位置に表示され、ユーザが手首４０を回しても表示情報はユーザの視野が確保される範囲の位置に移動する。
表示情報が画面上を移動するが、ユーザは表示情報が画面内を移動していないよう感じて表示情報をユーザの視野内に確保することができる。
【００３７】
図７は、本発明の一実施形態による携帯用端末機の情報表示手順を説明するためのフローチャートである。
図７を参照すると、制御部１２７は、締結部１１９を通じて携帯用端末機１００が曲げられたか（一端と他端が締結してリング状になった）否かを判別する（ステップＳ７０１）。
【００３８】
携帯用端末機１００が曲げられた場合、制御部１２７は、センサー部１２３から携帯用端末機１００の動き情報、例えば、回転角度、回転方向、回転速さ及び伸縮などに対する情報が提供され、動き情報に対応して移動可能な情報を表示する（ステップＳ７０３）。
例えば、制御部１２７は、センサー部１２３から提供される動き情報に対応する画面上の位置をデータベース又は算術アルゴリズムから決定し、決定した画面上の位置に対応する移動可能な情報を表示する。
【００３９】
また、センサー部１２３は、携帯用端末機１００が回転する速さ（情報）を制御部１２７に提供し、制御部１２７はセンサー部１２３から提供される速さ（情報）に比例する速さで移動可能な情報を画面上で移動させる。さらに、センサー部１２３は、携帯用端末機１００が回転する方向（情報）を制御部１２７に提供し、制御部１２７は、センサー部１２３から提供される方向（情報）と逆方向に移動可能な情報を画面上で移動させる。
【００４０】
図８は、本発明の一実施形態による携帯用端末機の情報表示手順を説明するためのフローチャートである。
図８を参照すると、制御部１２７は、締結部１１９を通じて携帯用端末機１００が曲げられたか否かを判別する（ステップＳ８０１）。
【００４１】
携帯用端末機１００が曲げられた場合、制御部１２７は、重力センサー１２３−１から重力方向（情報）と重力方向に対して携帯用端末機１００が回転した角度（情報）が提供される（ステップＳ８０３）。
【００４２】
次に、制御部１２７は、提供された角度（情報）に対応する画面上の位置をデータベースから決定し、決定した位置に対応する移動可能な表示情報を表示する（ステップＳ８０５）。
データベースは、重力方向に対して携帯用端末機が回転した角度に対する画面上の位置を規定するのに用いるデータを含む。
【００４３】
移動可能な表示情報は、アプリケーションの動作、システム動作によるイベントから提供することでもあってよく、例えば、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｅ  Ｓｅｒｖｉｃｅ）、電子メール、アプリケーション・ショットカット（ｓｈｏｒｔｃｕｔ）、ＳＮＳ（Ｓｏｃｉａｌ  Ｎｅｔｗｏｒｋ  Ｓｅｒｖｉｃｅ）、アラーム、ソフトウェア・アップデートなどが挙げられる。
【００４４】
図９は、本発明の一実施形態による携帯用端末機の情報表示方法を説明するための図である。
図９を参照すると、制御部１２７は、締結部１１９を通じて携帯用端末機１００が曲げられたを確認し、重力センサー１２３−１から重力方向（情報）と重力方向に対して携帯用端末機１００が相対的に回転した角度Ｒ１（情報）が提供される。
【００４５】
制御部１２７は、提供される角度Ｒ１（情報）に対応する画面上の第１位置（Ｘ１、Ｙ１）をデータベースから決定し、決定した第１位置（Ｘ１、Ｙ１）に対応する移動可能な情報を表示する。
続いて、ユーザが手首を回す場合、制御部１２７は、重力センサー１２３−１から重力方向（情報）と重力方向に対して携帯用端末機１００が相対的に回転した角度Ｒ２（情報）が提供される。制御部１２７は、重力センサー１２３−１から提供される角度Ｒ２（情報）に対応する画面上の第２位置（Ｘ２、Ｙ２）をデータベースから決定し、第１位置（Ｘ１、Ｙ１）から第２位置（Ｘ２、Ｙ２）に表示情報を移動させて表示する。
【００４６】
図１０は、本発明の一実施形態による携帯用端末機における情報の画面上の表示位置を決定する方法を説明するための図である。
図１０を参照すると、制御部１２７は、重力方向に対して携帯用端末機１００が少なくとも一つ以上の方向に回転する角度（情報）を重力センサー１２３−１から提供される。
【００４７】
図に示すように、制御部１２７は、重力方向に対して携帯用端末機がＸ’軸回転、つまり、画面の左右に回転する角度（情報）を重力センサー１２３−１から提供され、提供された角度（情報）に対応する画面上のｘ座標をデータベースから決定し得る。
さらに、制御部１２７は、重力方向に対して携帯用端末機がＹ’軸回転、つまり、画面の上下に回転する角度（情報）を重力センサー１２３−１から提供され、提供された角度（情報）に対応する画面上のｙ座標をデータベースから決定し得る。
【００４８】
特に、携帯用端末機１００は、幾つの角度範囲と、各角度範囲別に規定する座標を提供するデータベースを構成することができる。
さらに、制御部１２７は、データベースを代替する算術アルゴリズムを構成し、算術アルゴリズムを利用して重力方向に対して携帯用端末機１００が回転した角度に対応する座標を算術することもできるはずである。
【００４９】
本発明の請求項及び／又は明細書に記載された実施形態による方法は、ハードウェア、ソフトウェア、またはハードウェアとソフトウェアの組み合わせの形態で具現することができる。
ソフトウェアで具現する場合、一つ以上のプログラム（ソフトウェアモジュール）を記憶するコンピューター読出可能記憶媒体が提供されてもよい。コンピューター読出可能記憶媒体に記憶される一つ以上のプログラムは、電子装置内の一つ以上のプロセッサにより実行可能に構成される。一つ以上のプログラムは、電子装置に対して、本発明の請求項及び／又は明細書に記載された実施形態による方法を実行する命令語を含む。
【００５０】
このようなプログラム（ソフトウェアモジュール、ソフトウェア）はランダムアクセスメモリ、フラッシュメモリを含む不揮発性メモリ、ロム、電気的削除可能プログラマブルローム（ＥＥＰＲＯＭ）、磁気ディスク記憶装置、コンパクトディスクロム（ＣＤ−ＲＯＭ）、デジタル多目的ディスク（ＤＶＤｓ）、又は他の形態の光学記憶装置、磁気カセットに記憶されてもよい。または、この一部又は全部の組み合わせで構成されたメモリに記憶されてもよい。また、各々の構成メモリは複数個含まれてもよい。
【００５１】
また、電子装置にインターネット、イントラネット、ＬＡＮ、ＷＬＡＮ、又はＳＡＮのような通信ネットワーク、又はこの組合せで構成された通信ネットワークを通じてアクセスできる付着可能の記憶装置に記憶されてもよい。この記憶装置は、外部ポートを通じて電子装置にアクセスすることができる。また、通信ネットワーク上の別の記憶装置が携帯用電子装置にアクセスしてもよい。
【００５２】
結論的に、本発明による携帯用端末機の情報表示方法及びその装置は、携帯用端末機が曲げられた場合、ユーザが注視することに容易な画面上の位置で情報を表示する。
【００５３】
尚、本発明は、上述の実施形態に限られるものではない。本発明の技術的範囲から逸脱しない範囲内で多様に変更実施することが可能である。
【符号の説明】
【００５４】
１００    携帯用端末機
１０１    通信部
１０３    入力部
１０５    表示部
１０７    保存部
１０９    カメラ部
１１１    画像コーデック部
１１３    音声コーデック部
１１５    スピーカー
１１７    マイクロフォン
１１９    締結部
１２３    センサー部
１２３−１    重力センサー
１２３−２    回転センサー
１２５    アンテナ
１１９１    一端
１１９２    他端
１１９３    第１回路
１１９４−１    雄コネクタ
１１９４−２    雌コネクタ
１１９５    第２回路
１１９６    スイッチ
１１９８    スイッチを開閉する部材
【図１】
0005948267.tif 000002
【図２】
0005948267.tif 000003
【図３】
0005948267.tif 000004
【図４】
0005948267.tif 000005
【図５】
0005948267.tif 000006
【図６】
0005948267.tif 000007
【図７】
0005948267.tif 000008
【図８】
0005948267.tif 000009
【図９】
0005948267.tif 000010
【図１０】
0005948267.tif 000011